(57)【要約】【課題】種々の不正解錠手段に対して優れた防犯効果を有する扉の防犯装置を提供することである。【解決手段】外開きの玄関扉Ｄの外壁Ｗに堅固に固定された玄関パネル１に、基端部を回動自在に支持されたロックバー２を内蔵するとともに、パネル１側面のバー取出口１ａを開閉するシャッタ５を設け、使用する際には、バー取出口１ａから突出したロックバー２が扉Ｄの可動領域で鍵穴Ｈの一つを覆った状態で、シャッタ５の下端に取り付けたシリンダ錠９を施錠してロックバー２をロックする構造とすることにより、種々の不正解錠手段に対する防犯性を向上させるとともに、使用時には防犯対策の実施が視覚的に強く印象づけられるようにしたのである。【選択図】図１
2006207168.tif 000002
【特許請求の範囲】
【請求項１】
外開きの扉の周囲の外壁に扉可動領域へ進退可能に取り付けた扉閉止部材を、前記扉可動領域へ進入させた状態でロックするようにした扉の防犯装置。
【請求項２】
前記扉閉止部材を、扉に設けられた錠の鍵穴を覆う位置でロックするようにしたことを特徴とする請求項１に記載の扉の防犯装置。
【発明の詳細な説明】
【技術分野】
【０００１】
本発明は、不正解錠手段により扉をあけて室内へ侵入する犯罪を防止するための装置に関する。
【背景技術】
【０００２】
近年、玄関等の扉の錠をピッキング用具であけて室内へ侵入する犯罪が急増しており、これに伴って、錠をピッキングに強いものに変更したり、錠に警報装置を接続したりする対策が取られるようになってきている（例えば、特許文献１参照。）。しかし、このような防犯対策には、扉に孔をあけて錠の室内側に取り付けられているサムターンをまわすことにより開錠する、いわゆるサムターンまわしや、バールによる扉のこじあけといった不正解錠手段に対しては防犯効果のないものが多い。また、サムターンまわし対策やバールこじあけ対策も種々実施されているが、これらの防犯対策もそれぞれが対応している不正解錠手段以外の手段に対しては効果のないものが多いのが現状である。
【特許文献１】特開２００２−２９５０７６号公報
【発明の開示】
【発明が解決しようとする課題】
【０００３】
本発明の課題は、種々の不正解錠手段に対して優れた防犯効果を有する扉の防犯装置を提供することである。
【課題を解決するための手段】
【０００４】
上記の課題を解決するために、本発明の扉の防犯装置は、外開きの扉の周囲の外壁に扉可動領域へ進退可能に取り付けた扉閉止部材を、前記扉可動領域へ進入させた状態でロックする構成を採用した。
【０００５】
すなわち、扉の周囲の外壁に取り付けた扉閉止部材を扉可動領域内でロックして、ピッキング、サムターンまわし、バールこじあけ等の従来の不正解錠手段のみでは扉を開けられないようにして、扉の防犯性を向上させたのである。また、扉閉止部材をロックした状態では一見して防犯対策を実施していることがわかり、犯罪者が犯行に及ばないようにするという視覚的な面での防犯効果も生じるようにしたのである。
【０００６】
前記扉閉止部材を扉に設けられた錠の鍵穴およびデッドボルトを覆う位置でロックするようにすれば、ピッキングやバールこじあけ等の作業効率を悪化させることができるし、視覚的な防犯効果をさらに大きくすることができる。
【発明の効果】
【０００７】
本発明の扉の防犯装置は、上述したように、扉の周囲の外壁に取り付けた扉閉止部材を扉可動領域内でロックするようにして、従来の不正解錠手段のみでは扉が開かないようにしたものであるから、扉の防犯性を大きく向上させることができる。また、扉閉止部材のロックにより犯罪者に防犯対策の実施を強く印象づけることができるので、視覚的な防犯効果も大きい。
【発明を実施するための最良の形態】
【０００８】
以下、図面に基づき、この発明の実施形態を説明する。図１（ａ）、（ｂ）および図２は、第１の実施形態を示す。この扉の防犯装置は、外開きの玄関扉Ｄの取手Ｌ側の外壁Ｗに設置された玄関パネル１に、扉閉止部材としてのロックバー２を扉Ｄの可動領域へ進退可能となるように内蔵し、扉Ｄを閉じたときに、ロックバー２を扉可動領域へ進入させた状態でロックするようにしたものである。なお、玄関パネル１は、図示省略したインタホンや郵便受け等、通常は玄関まわりに個別に取り付けられる部材を一体にしたもので、外壁Ｗに固定されている。
【０００９】
前記ロックバー２は、その基端部を玄関パネル１内に設けた軸部材３に回動自在に支持されており、基端部の両側で軸部材３に嵌め込まれたスペーサ６、７と摺接して、軸部材３の軸方向にずれないようになっている。そして、使用しないときは、概ね垂直方向を向いた状態でパネル１内の断面Ｃ字状の筒部材４に収納され、使用時には、パネル１側面のバー取出口１ａから突出して取出口１ａ下縁部で水平に支持され、扉Ｄに設けられた２つのシリンダ錠のうちの上側シリンダ錠の鍵穴Ｈおよびデッドボルト（図示省略）を覆う。なお、このとき、上側シリンダ錠の筒部は、ロックバー２の裏面側の凹部２ａに入り込み、ロックバー２と干渉しないようになっている。
【００１０】
また、前記玄関パネル１には、バー取出口１ａを開閉するためのシャッタ５が設けられている。このシャッタ５は、下端に取り付けられたシリンダ錠９が、先端部をバー取出口１ａから突出させた状態で、パネル１内壁とパネル１内に垂直に配されたガイド板８とに案内されて上下し、ガイド板８に形成された３つの錠受１０、１１、１２のいずれかの位置で施錠できるようになっている。
【００１１】
そして、ロックバー２を玄関パネル１のバー取出口１ａから水平に突出させてシャッタ５のシリンダ錠９を上下の中間の錠受１１で施錠すれば、シャッタ５とバー取出口１ａの下縁部で挟まれたロックバー２が上側の鍵穴Ｈを覆った状態でロックされる。一方、ロックバー２を玄関パネル１内に収納してシリンダ錠９を下の錠受１２で施錠すれば、シャッタ５がバー取出口１ａを閉じた状態でロックされる。また、シリンダ錠９をその先端部がバー取出口１ａの上縁部に当接するまで持ち上げて上の錠受１０で施錠することにより、バー取出口１ａを開放した状態でシャッタ５をロックしてロックバー２の出し入れを行うことができる。
【００１２】
この防犯装置は、上記の構成であり、玄関パネル１を介して外壁Ｗに取り付けたロックバー２を扉Ｄの可動領域内でロックすれば、扉Ｄの２つのシリンダ錠に対するピッキングやサムターンまわし、バールこじあけ等の従来の不正解錠手段のみでは扉Ｄを開くことができなくなる。従って、犯罪者が室内に侵入するには、まずロックバー２をロックするシャッタ５のシリンダ錠９をピッキングにより解錠するかロックバー２自体を破壊することが必要となるため、犯行時間を大幅に長引かせることができる。また、ロックバー２が扉Ｄの鍵穴Ｈおよびデッドボルトを覆っている状態は、ピッキングやバールこじあけ等の作業効率を悪化させることができるし、防犯対策が実施されていることを犯罪者に強く印象づけるので、犯罪者が犯行に及ばないようにするという視覚的な防犯効果も大きい。
【００１３】
図３は、ロックバーのロック手段の変形例を示す。この例では、ロックバー１３は、その基端部を外壁Ｗに固定したブラケット１４の軸部１４ａに回動自在に支持されている。そして、使用しないときは、概ね垂直方向を向き、先端部がブラケット１４上方の外壁Ｗに固定したロックケース１５に収納された状態で、ロックケース１５に取り付けたシリンダ錠１７を施錠することによりロックされるようになっている。同様に、使用時には、水平方向を向いて扉Ｄの上側の鍵穴Ｈを覆い、先端部が扉Ｄに固定したロックケース１６に収納された状態で、ロックケース１６に取り付けたシリンダ錠１８を施錠することによりロックされる。
【００１４】
図４は、第２の実施形態を示す。この実施形態では、玄関パネル１９の下部に取り付けたシリンダ錠２０を施錠することにより、パネル１９に内蔵された扉閉止部材としてのロックプレート２１が、水平方向にスライドしてパネル１９から突出し、扉Ｄの上下の鍵穴Ｈを覆った状態でロックされるようになっている。また、ロックプレート２１の代わりにロックバーが水平方向にスライドするようにしてもよい。
【００１５】
なお、本発明は、上述した各実施形態に限らず、扉の周囲の外壁に取り付けた扉閉止部材を扉可動領域内でロックするようになっていれば、どのような構造をとってもよい。例えば、ロックバーを外壁に設けた垂直な回動軸のまわりに回動可能とし、ロックバーが扉の鍵穴を覆った状態でロックする方式や、扉の上方の外壁にロックプレートを上下方向に回動可能またはスライド可能に取り付け、ロックプレートを駆動する駆動装置にリモコンで赤外線信号を送って、扉の可動領域の内外でロックプレートをロックできるようにした方式等も採用することができる。
【図面の簡単な説明】
【００１６】
【図１】（ａ）は第１の実施形態の防犯装置の正面図、（ｂ）は（ａ）の拡大縦断面図
【図２】図１（ｂ）のII−II線に沿った断面図
【図３】図１の防犯装置の変形例を示す正面図
【図４】第２の実施形態の防犯装置の正面図
【符号の説明】
【００１７】
１  玄関パネル
１ａ  バー取出口
２  ロックバー
５  シャッタ
９  シリンダ錠
１０、１１、１２  錠受
１３  ロックバー
１４  ブラケット
１５、１６  ロックケース
１７、１８  シリンダ錠
１９  玄関パネル
２０  シリンダ錠
２１  ロックプレート
Ｄ  玄関扉
Ｈ  鍵穴
Ｌ  取手
Ｗ  外壁
【図１】
2006207168.tif 000003
【図２】
2006207168.tif 000004
【図３】
2006207168.tif 000005
【図４】
2006207168.tif 000006